(57)【要約】ファン組立体用のノズルが提供される。ノズルは、空気流を受け取るための空気入口と、空気流を放出するための第１の空気出口と、空気流を放出するための第２の空気出口と、を備える。第１及び第２の空気出口は、ノズルの面に設けられた湾曲スロットのペアを含み、第１及び第２の空気出口は、収束点に向かって配向される。第１の空気出口及び第２の空気出口は、ノズルの面の中心軸に位置する収束点に向かって配向することができる。【選択図】      図８
2021530644.tif 000002
【特許請求の範囲】
【請求項１】
ファン組立体用のノズルであって、
空気流を受け取るための空気入口と、
空気流を放出するための第１の空気出口と、
空気流を放出するための第２の空気出口と、
を備え、
前記第１及び第２の空気出口は、前記ノズルの面に設けられた湾曲スロットのペアを含み、前記第１及び第２の空気出口は、正反対に配置されて収束点に向かって配向され、前記ノズルが更に、前記第１及び第２の空気出口の間の領域にわたる中間面を備える、ノズル。
【請求項２】
前記ノズルの面が前記中間面を含む、請求項１に記載のノズル。
【請求項３】
第１の空気出口及び第２の空気出口は、前記ノズルの面の中心軸に位置する収束点に向かって配向される、請求項１又は２の何れか１項に記載のノズル。
【請求項４】
前記中間面は、前記第１及び第２の空気出口の一部を定める、請求項１〜３の何れか１項に記載のノズル。
【請求項５】
前記ノズルの１又は２以上の最外面を定めるノズル本体を更に備える、請求項１〜４の何れか１項に記載のノズル。
【請求項６】
前記ノズルの面が更に、中間面の周囲の周りに延びる前記ノズル本体の一部分を含む、請求項５に記載のノズル。
【請求項７】
前記ノズル本体が開口部を定め、前記中間面が、前記開口部内で露出している、請求項５又は６の何れか１項に記載のノズル。
【請求項８】
前記第１の空気出口は、前記ノズル本体の第１部分と前記中間面の第１部分とによって定められ、前記第２の空気出口は、前記ノズル本体の第２部分と前記中間面の第２部分とによって定められる、請求項１〜７の何れか１項に記載のノズル。
【請求項９】
前記ノズル本体の第１部分は、前記中間面の第１部分の形状に相当する形状を有し、前記ノズル本体の第２部分は、前記中間面の第２部分の形状に相当する形状を有する、請求項８に記載のノズル。
【請求項１０】
前記ノズルは、前記中間面と前記ノズル本体との間に開口部を定め、前記湾曲スロットのペアが、前記開口部の別個の部分によって提供される、請求項９に記載のノズル。
【請求項１１】
前記湾曲スロットのペア間の前記開口部の部分が各々、１又は２以上のカバーによって閉塞される、請求項１０に記載のノズル。
【請求項１２】
前記第１及び第２の空気出口は、前記中間面の少なくとも一部にわたって空気流を導くように配置される、請求項１〜１１の何れか１項に記載のノズル。
【請求項１３】
前記ノズルは、切頭球体の全体的形状を有し、第１の切頭部が前記ノズルの面を定め、第２の切頭部が、前記ノズルのベースの少なくとも一部を定める、請求項１〜１２の何れか１項に記載のノズル。
【請求項１４】
ファン組立体に接続されるように配置されるベースを更に備え、前記ベースが、前記ノズルの空気入口を定める、請求項１〜１３の何れか１項に記載のノズル。
【請求項１５】
前記ベースに対する前記ノズルの面の角度が固定される、請求項１４に記載のノズル。
【請求項１６】
前記ベースに対する前記ノズルの面の角度は、０〜９０度であり、より好ましくは０〜４５度、更に好ましくは２０〜３５度である、請求項１５に記載のノズル。
【請求項１７】
前記空気入口と前記第１及び第２の空気出口両方との間に延びる単一の内部空気通路を更に備える、請求項１〜１６の何れか１項に記載のノズル。
【請求項１８】
前記空気入口から前記空気出口への空気流を制御するバルブを更に備える、請求項１７に記載のノズル。
【請求項１９】
前記第１及び第２の空気出口が組み合わされて、ノズルの複合空気出口を定め、前記バルブが、前記ノズルの複合空気出口のサイズを一定に保ちながら、前記第１の空気出口のサイズを前記第２の空気出口のサイズに対して調整するように移動可能な１又は２以上のバルブ部材を含む、請求項１８に記載のノズル。
【請求項２０】
前記１又は２以上のバルブ部材は、前記第１の空気出口が最大限に閉塞され前記第２の空気出口が最大限に開放される第１の端部位置と、前記第１の空気出口が最大限に開放され前記第２の空気出口が最大限に閉塞される第２の端部位置との間のある範囲の位置を通って移動可能である、請求項１８に記載のノズル。
【請求項２１】
インペラーと、前記インペラーを回転させて空気流を発生させるモータと、前記空気流を受け取るため請求項１〜２０の何れか１項に記載のノズルと、を備えたファン組立体。
【発明の詳細な説明】
【技術分野】
【０００１】
本発明は、ファン組立体用ノズル、並びにこのようなノズルを備えたファン組立体に関する。
【背景技術】
【０００２】
従来の家庭用ファンは、典型的に、軸線の周りに回転するように取り付けられたブレード又はベーンのセットと、ブレードのセットを回転させて空気流を発生させる駆動装置とを含む。空気流の移動及び循環は、「風冷」又は微風を生成し、その結果として、対流及び蒸発を介して熱が放散されと、ユーザが冷却効果を受ける。ブレードは一般に、ファンの使用中に回転しているブレードとユーザが接触するのを防ぎながら、空気流がハウジング内を通過するのを可能にするケージ内に配置される。
【０００３】
米国特許第２，４８８，４６７号には、ファン組立体から空気を放出するためにケージに入れられたブレードを使用しないファンが記載されている。或いは、ファン組立体は、空気流を引き込むためにモータ駆動インペラーを収容するベースと、ベースに接続された一連の同心環状ノズルとを備え、各ノズルは、ファンから空気流を放出するように前部に位置する環状出口を備える。各ノズルは、ボア軸線の周りに延びて、ノズルが周りに延びるボアを定める。
【０００４】
各ノズルは翼形部の形状であり、従って、ノズルの後部に位置する前縁と、ノズルの前部に配置される後縁と、前縁と後縁の間に延びる翼弦線と、を有すると見なすことができる。米国特許第２，４８８，４６７号では、各ノズルの翼弦線は、ノズルのボア軸線と平行である。空気出口は翼弦線上に位置し、ノズルから離れて翼弦線に沿って延びる方向に空気流を放出するように配置される。
【０００５】
ファン組立体から空気を放出するためにケージに入ったブレードを使用しない別のファン組立体が、国際公開特許第２０１０／１００４５１号に記載されている。このファン組立体は、一次空気流を引き込むためにモータ駆動インペラーを同様に収容する円筒状ベースと、ベースに接続され、一次空気流がファンから放出される環状開口／出口を備えた単一の環状ノズルとを備える。ノズルは開口部を定め、この開口部を介して、ファン組立体の局所環境内の空気が、環状開口から放出された一次空空気流によって引き込まれ、一次空気流が増幅される。ノズルはコアンダ面を含み、コアンダ面にわたって開口が一次空気流を配向するように配置される。コアンダ面は、開口部の中心軸線の周りで対称的に延びて、ファン組立体によって発生した空気流が、円筒形又は円錐台形のプロファイルを有する環状噴流の形態であるようになる。
【０００６】
ユーザは、空気流がノズルから放出される方向を、２つの方法の内の１つで変更することができる。ベースは、ノズル及びベースの一部をベースの中心を通る垂直軸線の周りに揺動させて、ファン組立体により発生した空気流が約１８０°の円弧の周りに掃引されるように作動させることができる揺動機構を含む。ベースはまた、ノズル及びベースの上部を水平線に対し最大１０°の角度でベースの下側部品に対して傾斜させることができる傾動機構を含む。
【先行技術文献】
【特許文献】
【０００７】
【特許文献１】米国特許第２４８８４６７号明細書
【特許文献２】国際公開第２０１０／１００４５１号
【発明の概要】
【０００８】
第１の態様によれば、ファン組立体用のノズルが提供される。ノズルは、空気流を受け取るための空気入口と、空気流を放出するための第１の空気出口と、空気流を放出するための第２の空気出口と、を備える。第１及び第２の空気出口は、ノズルの面に設けられた湾曲スロットのペアを含み、第１及び第２の空気出口は、正反対に配置されて、収束点に向かって配向される。ノズルは更に、第１及び第２の空気出口の間の領域にわたる中間面を備える。換言すると、中間面は、第１及び第２の空気出口を分離する距離にわたって延びる。第１及び第２の空気出口が個別的である。換言すると、互いに物理的に分離されている。好ましくは、中間面は、外向きであり、すなわち、ノズルの中心から外方に面する。
【０００９】
ノズルの面は、中間面を含むことができる。中間面は、ノズルの面を少なくとも部分的にわたって延びることができる。中間面は、平坦又は少なくとも部分的に凸状とすることができる。第１の空気出口及び第２の空気出口は、ノズルの面の中心軸に位置する収束点に向かって配向することができる。
【００１０】
ノズルは更に、ノズルの１又は２以上の最外面を定めるノズル本体又は外側ケーシングを備えることができる。従って、ノズル本体又は外側ケーシングは、ノズルの外部形状又は外形を実質的に定める。従って、ノズルの面は、中間面と、中間面の周囲の周りに延びる又はこれを取り囲むノズル本体の一部分とを備えることができる。ノズル本体は、開口部を定めることができ、次いで、中間面は、開口部内に露出することができる。開口部は、ノズルの面に設けることができる。
【００１１】
中間面は、第１及び第２の空気出口の一部を定めることができる。第１の空気出口は、ノズル本体の第１部分と中間面の第１部分とによって定めることができ、第２の空気出口は、ノズル本体の第２部分と中間面の第２部分とによって定めることができる。ノズルは、中間面とノズル本体との間に略楕円形の開口部又はギャップを定めることができ、次いで、湾曲スロットのペアは、開口部の別個の部分によって提供することができる。湾曲スロットのペア間の開口部の一部分は各々、１又は２以上のカバーによって閉塞することができる。１又は２以上のカバーは、湾曲スロットのペア間の開口部の一部分が閉塞された閉位置と、湾曲スロットのペア間の開口部の一部分が開口した開位置との間で移動可能とすることができる。或いは、１又は２以上のカバーが固定され、ノズル本体の１又は２以上及びノズルの中間面と一体化されるのが好ましい。
【００１２】
好ましくは、湾曲スロットは弧状である。より好ましくは、湾曲スロットは、単一円の円弧の形にされ、互いに正反対に配置される。従って、湾曲スロットは、ノズル本体の面上で正反対に配置される２つの合同の弧状スロットを含み、好ましくは、円弧の形にされる。
【００１３】
第１及び第２の空気出口は、空気流を中間面の少なくとも一部にわたって導くように配向することができる。第１及び第２の空気出口は、そこから放出される空気流を導いて、その空気流が中間面の少なくとも一部分をわたるように配置することができる。第１及び第２の空気出口は、それぞれの空気出口に隣接する中間面の一部にわたって空気流を導くように配置することができる。
【００１４】
ノズルの外壁の最前点は、中間面の最前点の前方に存在することができる。或いは、ノズルの外壁の最前点は、中間面の最前点と面一とすることができる。
【００１５】
ノズルは、楕円面を有することができる。好ましくは、ノズルは円形面を有する。次いで、開口部は、略環状とすることができる。好ましくは、ノズルは概して、円筒形、楕円形、回転楕円形である。詳細には、ノズルは、直円筒又は切頭球体の全体的形状を有することができる。好ましくは、ノズルは、切頭球体の全体的形状を有し、第１の切頭部がノズルの面を形成し、第２の切頭部がノズルのベースの少なくとも一部を形成する。
【００１６】
ノズルは更に、ファン組立体に接続されるように配置されたベースを備えることができ、ベースは、ノズルの空気入口を定めることができる。ベースに対するノズルの面の角度が固定することができる。好ましくは、ベースに対する面の角度は、０〜９０度であり、より好ましくは０〜４５度、更により好ましくは２０〜３５度である。
【００１７】
ノズルは更に、空気入口と第１及び第２の空気出口の両方との間に延びる単一の内部空気通路を備えることができる。ノズルは更に、空気入口から空気出口への空気流を制御するバルブを備えることができる。好ましくは、第１及び第２の空気出口が組み合わされて、ノズルの複合／統合空気出口を定め、次いで、バルブは、ノズルの複合／統合的な空気出口のサイズを一定に保ちながら第２の空気出口のサイズに対して第１の空気出口のサイズを調整するよう移動可能な１又は２以上のバルブ部材を含む。バルブは、第１の空気出口のサイズを調整すると同時に第２の空気出口のサイズを逆比例して調整するように移動可能な１又は２以上のバルブ部材を備えることができる。バルブは、１又は２以上のバルブ部材の移動により、第１及び第２の空気出口の統合サイズを一定に保ちながら第１の空気出口のサイズを調整すると同時に第２の空気出口のサイズを逆比例して調整するように配置することができる。好ましくは、１又は２以上のバルブ部材は、第１の空気出口が最大限に閉塞され第２の空気出口が最大限に開放される第１の端部位置と、第１の空気出口が最大限に開放され第２の空気出口が最大限に閉塞される第２の端部位置との間のある範囲の位置を通って移動可能である。
【００１８】
１又は２以上のバルブ部材は、並進的に（すなわち、回転せずに）、好ましくは直線的に（すなわち、真っ直ぐに）移動するように配置することができる。１又は２以上のバルブ部材は、ノズルの本体に対して横方向に移動するように配置することができ、任意選択的に外部案内面に対しても横方向に移動するように配置することができる。
【００１９】
バルブ部材の各々において、バルブ部材は、ノズル本体の対向する部分の形状に相当する形状を有することができる。詳細には、バルブ部材は、ノズル本体の対向する部分の曲率半径に実質的に等しい曲率半径を有することができる。
【００２０】
第２の態様によれば、ファン組立体用のノズルが提供される。ノズルは、空気流を受け取るための空気入口と、空気流を放出するための第１の空気出口と、空気流を放出するための第２の空気出口と、を備える。第１及び第２の空気出口は、ノズルの面に設けられた湾曲スロットのペアを含み、第１及び第２の空気出口は、収束点に向かって配向される。第１の空気出口及び第２の空気出口は、ノズルの面の中心軸に位置する収束点に向かって配向することができる。
【００２１】
本発明の第３の態様によれば、インペラーと、空気流を生成するためにインペラーを回転させるモータと、空気流を受け取るための、第１の態様及び第２の態様の何れかによるノズルとを備えるファン組立体が提供される。ファン組立体は、ファン組立体が支持されるベースを備えることができ、ファン組立体のベースに対するノズルの面の角度を固定することができる。好ましくは、ファン組立体のベースに対するノズルの面の角度は０〜９０度であり、好ましくは０〜４５度であり、より好ましくは２０〜３５度である。ファン組立体のベースは、好ましくはファン組立体本体の第１の端部に設けられ、この場合、ノズルは、ファン組立体本体の対向する第２の端部に取り付けられることが好ましい。好ましくは、モータ及びインペラーは、ファン組立体の本体内に収容される。
【００２２】
ここで、添付図面を単に例証として参照しながら、本発明の一実施形態について説明する。
【図面の簡単な説明】
【００２３】
【図１】ファン組立体の斜視図である。
【図２】図１のファン組立体の正面図である。
【図３】図２の線Ａ−Ａに沿った断面図である。
【図４】図１のファン組立体の環状ノズルの斜視図である。
【図５】ファン組立体の第１の実施形態の正面図である。
【図６】図５のファン組立体の側面部である。
【図７】図５及び図６のファン組立体の球状ノズルの斜視図である。
【図８】図５及び図６のファン組立体の球状ノズルの上面図である。
【図９】図５及び図６のファン組立体の球状ノズルの正面図である。
【図１０】５及び図６のファン組立体の球状ノズルの側面図である。
【図１１】図９の線Ａ−Ａに沿った、球状ノズルの垂直断面図である。
【図１２】図１０の線Ｂ−Ｂに沿った、球状ノズルの垂直断面図である。
【図１３】上側部分が取り外された図７の球状ノズルの上面図である。
【図１４】上側部分が取り外された図７の球状ノズルの斜視図である。
【図１５ａ】第１の位置にあるバルブ部材を示す、球状ノズルの簡易垂直断面図である。
【図１５ｂ】第２の位置にあるバルブ部材を示す、球状ノズルの簡易垂直断面図である。
【図１５ｃ】第３の位置にあるバルブ部材を示す、球状ノズルの簡易垂直断面図である。
【図１６】第２の実施形態の円筒状ノズルの垂直断面図である。
【図１７ａ】第１の位置にあるバルブ部材を示す、円筒状ノズルの垂直断面図である。
【図１７ｂ】第２の位置にあるバルブ部材を示す、円筒状ノズルの垂直断面図である。
【図１８】図１６の円筒状ノズルの空気流ベクタリングバルブの代替の実施形態の簡易垂直断面図である。
【発明を実施するための形態】
【００２４】
ここで、ファン組立体用のノズルであって、高流量及び低圧力降下で十分に集束された空気の噴流を生成することができ、それによってエネルギー効率を改善することができるファン組立体用のノズルについて説明する。本明細書で使用される用語「ファン組立体」は、温度快適性及び／又は環境制御もしくは温度調節の目的で空気流を発生させて送給するように構成されたファン組立体を意味する。このようなファン組立体は、除湿空気流、加湿空気流、浄化空気流、濾過空気流、冷却空気流、及び加熱空気流の内の１又は２つ以上を発生させることができる。
【００２５】
ノズルは、空気流を受け取るための空気入口と、空気流を放出するための第１の空気出口と、空気流を放出するための第２の空気出口と、を備える。第１の空気出口と第２の空気出口は、ノズルの面上に設けられ且つ正反対に配置されて収束点に向かって配向される湾曲スロットのペアを備える。従って、第１の空気出口と第２の空気出口は、個別的である（すなわち、互いに物理的に分離されている）。ノズルは更に、第１の空気出口と第２の空気出口の間の領域にわたる中間面を備える。換言すると、中間面は、第１及び第２の空気出口を隔てる領域又は空間にわたって延びる。中間面は、ノズルの外面を備え、好ましくは、外向き（すなわち、ノズルの中心から離れた方向を向く）である。第１及び第２の空気出口は個別的である（すなわち、互いに物理的に分離されている）。
【００２６】
ノズルの面は、中間面を備えることができる。ここで中間面は、ノズルの面を少なくとも部分的にわたって延びることができる。中間面は、平坦又は少なくとも部分的に凸状とすることができる。第１の空気出口及び第２の空気出口は、ノズルの面の中心軸に位置する収束点に向かって配向することができる。
【００２７】
ノズルは、ノズルの１又は２以上の最外面を定めるノズル本体又は外側ケーシングを更に備えることができる。従って、ノズル本体又は外側ケーシングは、ノズルの外部形状又は外形を実質的に定める。ノズルの面は、中間面と、中間面の周囲の周りに延びる又はこれを取り囲むノズル本体の一部分とを備えることができる。ノズル本体は、開口部を定めることができ、次いで、中間面は、中間面がノズルの外面を提供するように開口部内に露出することができる。開口部は、ノズルの面に設けることができる。
【００２８】
中間面は、第１及び第２の空気出口の一部を定めることができる。詳細には、第１の空気出口は、ノズル本体の第１部分と中間面の第１部分とによって定めることができ、第２の空気出口は、ノズル本体の第２部分と中間面の第２部分とによって定めることができる。中間面の第１部分（すなわち、第１の空気出口を部分的に定める部分）は、ノズル本体の対向する第１部分の形状に相当する形状を有することができる。詳細には、中間面の第１部分は、ノズル本体の対向する第１部分の曲率半径と実質的に等しい曲率半径を有することができる。中間面の第２部分（すなわち、第２の空気出口を部分的に定める部分）は、ノズル本体の対向する第２部分の形状に相当する形状を有することができる。詳細には、中間面の第２部分は、ノズル本体の対向する第２部分の曲率半径と実質的に等しい曲率半径を有することができる。
【００２９】
ノズルは、中間面とノズル本体との間に略楕円形の開口部又はギャップを定めることができ、次いで、湾曲スロットのペアは、開口部の別個の部分によって提供することができる。湾曲スロットのペア間の開口部の一部分は各々、１又は２以上のカバーによって閉塞することができる。１又は２以上のカバーは、湾曲スロットのペア間の開口部の一部分が閉塞された閉位置と、湾曲スロットのペア間の開口部の一部分が開口した開位置との間で移動可能とすることができる。或いは、１又は２以上のカバーが固定され、ノズル本体の１又は２以上及びノズルの中間面と一体化されるのが好ましい。
【００３０】
湾曲スロットが弧状であることが好ましい。本明細書で使用される用語「弧状」は、弧の形状を指し、ここで弧は、曲線のセグメント又は一部である。楕円のセグメントを含む弧は、楕円弧と呼ばれる。より好ましくは、湾曲スロットは、ノズル本体の面上で正反対に配置される２つの合同の弧状スロットを含み、好ましくは、円弧の形にされる。本明細書で使用される用語「合同の弧」とは、同じ弧の測度／弧の角度を有する同じ楕円の弧を指す。
【００３１】
本明細書で使用する用語「空気出口」は、空気流がノズルから流出するノズルの部分を指す。詳細には、本明細書に記載する実施形態では、各空気出口は、ノズルによって定められ、空気流がノズルから出て行く導管又はダクトを備える。従って、各空気出口を代わりに排出口と呼ぶことができる。これは、空気出口から上流側にあり、ノズルの空気入口と空気出口との間で空気流を送る役割を果たすノズルの他の部分とは対照的である。
【００３２】
第１及び第２の空気出口は各々、放出される空気流を中間面の少なくとも一部にわたって導くように配向される。換言すると、第１及び第２の空気出口は、そこから放出される空気流を導いて、その空気流が中間面の少なくとも一部分をわたるように配置することができる。詳細には、第１及び第２の空気出口は、それぞれの空気出口に隣接する中間面の一部にわたって空気流を導くように配置することができる。好ましくは、第１及び第２の空気出口は、空気出口に隣接するこの中間面の一部分と実質的に平行な方向に空気流を放出するように配向される。この場合、中間面は、第１及び第２の空気出口から空気流が放出される方向から離れるように中間面が逸れる又は方向を変えるように成形されて、これらの空気流が、中間面からの干渉を受けることなく、収束点で／又はその周辺で衝突できるようになることが好ましい。中間面にわたって空気流を放出することにより、最初にノズルを離れる際の空気流の乱れを最小限に抑え、それに続く空気流の中間面からの離脱により、中間面、放出された空気流及び収束点の間に剥離バブルを形成することが可能となる。剥離バブルの形成は、２つの対向する空気流が衝突したときに形成される合成噴流又は複合空気流を安定化させるのを助けることができる。従って、ノズルのこの中間面は、第１及び第２の空気出口から放出される空気流を収束点に案内するのを助ける外部案内面であると見なすことができる。
【００３３】
図１及び２は、細長い環状ノズル１２００を有するファン組立体１０００の外観図である。従って、ノズル１２００は、開口部１３００のそれぞれ細長い側部に各々が隣接する２つの平行な直線状セクション１２０１，１２０２と、直線状セクション１２０１、１２０２の上端に繋がる上側湾曲セクション１２０３と、直線状セクション１２０１、１２０２の下端に繋がる下側湾曲セクション１２０４とを備える。細長い環状ノズル１２００の上側及び下側湾曲セクション１２０３、１２０４は、空気流が湾曲セクション１２０３、１２０４を通って細長い環状ノズル１２００から流出することができないように塞がれている。むしろ、空気流は、細長い環状ノズル１２００の平行側部セクション１２０１、１２０２に沿って延びる別個の細長い直線状空気出口１２１０、１２２０を通って、細長い環状ノズル１２００から流出することが可能にされる。
【００３４】
図１はファン組立体１０００の斜視図を示し、図２はファン組立体１０００の正面図である。次に、図３は、図２の線Ａ−Ａに沿った、ファン組立体の本体又はスタンド１１００を通る断面図を示し、一方、図４は、ファン組立体１０００のノズル１２００の斜視図を示す。ファン組立体１０００は、本体又はスタンド１１００を備え、細長い環状ノズル１２００が本体１１００に取り付けられる。本体１１００は、略円筒状であり、ファン組立体１０００の本体１１００に空気流が入る空気入口１１１０を備え、空気入口１１１０は、本体１１００に形成されたアパーチャのアレイを備える。或いは、空気入口１１１０は、本体１１００に形成されたウィンドウに取り付けられた１又は２以上のグリル又はメッシュを備えることができる。
【００３５】
図３は、ファン組立体１０００を通る断面図を示す。本体１１００は、空気入口１１１０を介して本体１１００内に空気流を引き込むためのインペラー１１２０を収容する。インペラー１１２０は、モータ１１３０から外向きに延びる回転シャフト１１２１に接続される。図３に示されるファン組立体では、モータ１１３０は、ユーザによって提供される制御入力に応じて制御回路１１４０により変更可能な速度を有するＤＣブラシレスモータである。モータ１１３０は、下側部分１１３２に接続された上側部分１１３１を備えるモータハウジング内に収容される。モータハウジングの上側部分１１３１は更に、モータハウジングの上側部分１１３１の外面から突出する湾曲したブレードの形態の環状ディフューザ１１３２を備える。
【００３６】
モータハウジング１１３１、１１３２は、本体１１００内に取り付けられたダクトの中に取り付けられる。ダクトは、略円錐台状の上壁１１５１と、略円錐台状の下壁１１５２と、下壁１１５２内に配置されてこれに当接するインペラシュラウド１１２２とを備える。次に、実質的に環状の入口部材１１６０が、インペラハウジング内に一次空気流を案内するためにダクトの底部に接続される。従って、ダクトの空気入口は、ダクトの底端部に設けられた環状入口部材１１６０によって定められる。次いで、一次空気流が本体１１００から排出される通気口／開口部１１７０は、モータハウジングの上側部分１１３１及びダクトの上壁１１５１によって定められる。
【００３７】
ダクトの上壁１１５１と本体１１１０との間には、空気がダクトの外面の周りから入口部材１１６０に通過するのを防ぐために、可撓性のシール部材（図示せず）が取り付けられる。シール部材は、ゴムから形成された環状リップシールを備えることが好ましい。
【００３８】
ノズル１２００は、一次空気流が本体１１００から流出する通気口１１７０を覆って本体１１１０の上端に取り付けられる。ノズル１２００は、本体１１００の上端に接続され、本体１１００から一次空気流を受け取るための空気入口１２４０を提供する開口下端を有するネック／ベース１２３０を備える。この場合、ノズル１２００のベース１２３０の外面は、本体１１００の外縁と実質的に面一である。従って、ベース１２３０は、本体１１００の上面に設けられるファン組立体１０００のあらゆる構成要素を覆う／取り囲むハウジングを備え、図３では制御回路１１４０を含む。
【００３９】
上述のように、ノズル１２００は、スタジアム又はディスコレクタングル形状と呼ばれることが多い細長い環形状を有し、その幅（ノズル１２００の側壁間に延びる方向で測定される）よりも大きい高さ（ノズル１２００の上端からノズル１２００の下端へ延びる方向で測定される）と中心軸線（Ｘ）とを有する、相応する形状にされた開口部又はボア１３００を定める。
【００４０】
細長い環状ノズル１２００の空気入口１２４０は、一次空気流が本体１１００から排出される通気口／開口部１１７０から空気流を受け取るように配置される。単一の内部空気通路１２５０が、細長い環状ノズル１２００の周囲に延びて、空気入口１２４０から空気を受け取る。空気が通気口／開口部１１７０から細長い環状ノズル１２００の空気入口１２４０に流入すると、２つに分割され、内部空気通路１２５０を介して細長い環状ノズル１２００のボア１３００を中心として対向する角度方向に流れる。空気案内ベーン（図示せず）が、平行側部セクション１２０１、１２０２の内面に設けられ、垂直方向に配向された空気流を、細長い環状ノズル１２００の前方を向いた面に設けられた直線空気出口１２１０、１２２０に向けて９０°転回する。
【００４１】
次に、図５及び６は、本発明によるファン組立体２０００の第１の実施形態を示す。
ファン組立体１０００、２０００は全く異なるように見えるが、ファン組立体の本体１１００、２１００は本質的に同じである。このため、本体２１００の説明は繰り返さない。しかしながら、明らかに分かるように、ファン組立体１０００、２０００の間の主な相違点は、図５及び６のファン組立体が、直線状空気出口を有する細長い環状ノズルを有してない点である。むしろ、ファン組立体２０００のノズル２２００は、切頭球体の全体的形状を有し、ノズル２２００の空気出口２２１０、２２２０が、ノズル２０００の面２２３１に設けられた湾曲スロットのペアを備える。
【００４２】
図示の実施形態では、ノズル２２００は、空気流が本体２１００から流出する通気口を覆って本体２１１０の上端に取り付けられる。ノズル２２００は、本体２１００から空気流を受け取るための空気入口２２４０を提供する開口下端を有する。次に、ノズル２２００の外壁の外面は、本体２１００の外縁に収束する。
【００４３】
ノズル２２００は、ノズル本体、すなわち外側ケーシング又はハウジング２２３０を備え、これはノズルの最外面を定め、ひいてはノズル２２００の外部形状又は外形を定める。図示の実施形態では、ノズル２２００のノズル本体／外側ケーシング２２３０は、切頭球体の全体的形状を有し、第１の切頭部がノズルの円形面２２３１を形成し、第２の切頭部がノズル本体／外側ケーシング２２３０の円形面２２３２を形成し、ノズル本体２２３０のベース２２３２に対するノズル本体２２３０の円形面２２３１の角度（α）は固定される。図示の実施形態では、この角度（α）は約２５度であるが、ノズル本体２２３０のベース２２３２に対する面２２３１の角度は、０〜９０度の何れでもよく、より好ましくは０〜４５度であり、更により好ましくは２０〜３５度である。
【００４４】
図示の実施形態では、第１の切頭部は、ノズル本体２２３０の直径（ＤＮ）が、ノズル本体２２３０の円形面２２３１の直径（ＤＦ）の約１．２倍であるようにするが、ノズル本体２２３０の直径（ＤＮ）は、ノズル本体２２３０の円形面２２３１の直径（ＤＦ）の１．０５〜２倍の何れでもよく、好ましくは１．１〜１．４倍である。第２の切頭部は、ノズル本体２２３０の直径（ＤＮ）が、ノズル本体２２３０の円形ベース２２３２の直径（ＤＢ）の約１．２倍であるようにするが、ノズル本体２２３０の直径（ＤＮ）は、ノズル本体２２３０の円形ベース２２３２の直径（ＤＦ）の１．０５〜２倍の何れでもよく、好ましくは１．１〜１．４倍である。
【００４５】
ノズル本体２２３０は、ノズル本体２２３０の円形面２２３１に開口部を定める。次に、ノズル２２００は更に、ノズル本体２２３０の円形面２２３１の開口部内に同心円状に配置された固定の外部案内面２２５０を備え、この外部案内面２２５０が開口部内に少なくとも部分的に露出されて、ノズル本体２２３０の一部が案内面２２５０の周囲に延びるようになっている。従って、外部案内面２２５０は、外向きである（すなわち、ノズルの中心から離れる方向を向く）。
【００４６】
図示の実施形態では、この案内面２２５０は凸状で実質的にディスク状であるが、代替の実施形態では、案内面２２５０は平坦又は部分的にだけ凸状とすることができる。次に、ノズル本体２２３０の内方に湾曲した上側部分２２３０ａは、案内面２２５０の円周部分２２５０ａに重なる／突出している。この場合、凸状案内面の最も外側の中央部分２２５０ｂは、ノズル本体２２３０の開口円形面２２３１の最外点に対してオフセットされる。次いで、凸状のガイド面２２５０の最外の中央部分２２５０ｂは、ノズル本体２２３０の開放された円形面２２３１の最外点に対して相対的にオフセットされる。詳細には、ノズル本体２２３０の開口円形面２２３１の最外点は、案内面の最外部２２５０ｂの前方にある。
【００４７】
案内面２２５０の円周部分２２５０ａとノズル本体２２３０の対向する部分は、組み合わされてこれらの間に略環状のギャップ２２６０を定め、この場合、このギャップ２２６０の正反対に配置された２つの部分は、ノズル２２００の第１及び第２の空気出口２２１０、２２２０を提供する合同な円弧状スロットのペアを形成する。従って、案内面２２５０は、第１及び第２の空気出口２２１０、２２２０の間の領域にわたる中間面を提供する。言い換えれば、案内面２２５０は、第１及び第２の空気出口２２１０、２２２０を隔てる空間にわたって延びる中間面を形成する。以下でより詳細に説明するように、ノズル２２００の少なくとも１つの構成では、弧状スロットのペアを隔てるギャップ２２６０の部分が覆われ／塞がれる。
【００４８】
図示の実施形態では、第１及び第２の空気出口２２１０、２２２０を提供する弧状スロットのペアは各々、約６０度の円弧角度（β）（すなわち、円形面２２３１の中心として弧に対する角度）を有するが、これらは各々、２０〜１１０度、好ましくは４５〜９０度、より好ましくは６０〜８０度の何れかの円弧角度を有することができる。結果として、ギャップ２２６０の面積は、第１及び第２の空気出口２２１０、２２２０の各々の面積の３〜１８倍の何れかとすることができ、好ましくは４〜８倍、より好ましくは４〜６倍である。
【００４９】
第１及び第２の空気出口２２１０、２２２０はほぼ同じサイズであり、組み合わされて球状ノズル２２００の統合／複合空気出口を形成する。第１の空気出口２２１０と第２の空気出口２２２０は、案内面２２５０の対向する側部に位置し、それぞれの空気出口に隣接する案内面２２５０の一部分上へ案内面２２５０の中央軸線（Ｙ）と整列する収束点に向けて放出される空気流を導くように配向される。この場合、第１の空気出口２２１０、第２の空気出口２２２０及び案内面２２５０は、放出される空気流がそれぞれの空気出口に隣接する案内面２２５０の一部分上に導かれるように配置される。詳細には、空気出口２２１０、２２２０は、空気出口２２１０、２２２０に隣接する案内面２２５０の部分と実質的に平行な方向に空気流を放出するように配置される。この場合、案内面２２５０の凸形状は、第１及び第２の空気出口２２１０、２２２０から放出された空気流が収束点に接近するにつれて案内面２２５０から離れて、これらの空気流は、案内面２２５０からの干渉なしに収束点で及び／又はその周辺で衝突することができるようになっている。放出された空気流が衝突すると、２つの対向する空気流が衝突するときに形成される合成噴流又は複合空気流を安定させる上で助けとなる剥離バブルが形成される。
【００５０】
符号が違う
ノズル２２００の構造及び動作は、図７〜１５に関連して以下で更に詳細に説明する。図７は、図５及び６のファン組立体２０００のノズル２２００に関する等角図である。次に、図８、９及び１０は、ノズル２２００の上面図、正面図及び側面図を示す。次いで、図１１は、図９の線Ａ−Ａを通る断面図を示し、図１２は、図１０の線Ｂ−Ｂを通る断面図を示す。そして、図１３及び１４は、案内面及びノズル本体の上側部分を取り外したノズル２２００の上面図及び斜視図を示す。
【００５１】
上述のように、ノズル２２００は、切頭球体の全体的形状を有し、第１の切頭部がノズルの円形面２２３１を形成し、第２の切頭部がノズル本体２２３０の円形ベース２２３２を形成する。従って、ノズル本体２２３０は、切頭球体形状を定める外壁２２３３を備える。この場合、外壁２２３３は、ノズル２２００の円形面２２３１上の円形開口部と、ノズル本体２２３０の円形ベース２２３２上の円形開口部とを定める。ノズル本体２２３０はまた、第１の切頭部を形成する外壁２２３３の縁部から内方に延びるリップ２２３４を備える。このリップ２２３４は、形状が略円錐台状であり、案内面２２５０に向かって内方に先細となっている。
【００５２】
ノズル本体２２３０は更に、ノズル本体２２３０内に配置されてノズル２２００の単一の内部空気通路２２７０を定める内壁２２３５を備える。内壁２２２３５は、全体的に湾曲し、略円形の断面を有し、ノズル本体２２３０の面２２３１又はベース２２３２の何れかに平行な平面における内壁２２３５の断面積が、空気入口２２４０と１又は２以上の空気出口２２１０、２２２０との間で変化する。詳細には、内壁２２３５は、空気入口２２４０の近辺で外方に幅広又は裾広がりになり、次いで、空気出口２２１０、２２２０の近辺で狭くなる。従って、内壁２２２３５は、ノズル本体２２３０の形状にほぼ共形である。
【００５３】
内壁２２３５は、その下端において、ノズル本体２２００の円形ベース２２３２の円形開口部内に同心円状に配置された円形開口部を有し、内壁２２３５の下側円形開口部が、本体２１００からの空気流を受け取るための空気入口２２４０を提供する。内壁２２３５はまた、その上端において、ノズル本体２２３０の円形面２２３１の円形開口部内に同心円状に配置された円形開口部を有する。この場合、内壁２２３５の内方に湾曲した上端は、外壁２２３３から内方に先細になるリップ２２３４と交わり／当接して、ノズル本体２２３０の円形面２２３１の円形開口部を定める。
【００５４】
次いで、案内面２２５０は、内壁２２３５の上側円形開口部と同心円状に配置され、内壁２２３５の上側円形開口部の中心軸線に沿って内壁２２３５の上側円形開口部に対してオフセットされ、結果として、内壁２２３５と案内面２２５０の隣接部分との間の空間によってギャップ２２６０が定められる。この場合、内壁２２３５の内方に湾曲した上端は、ノズル２２００から空気流が出る角度がノズル２２００によって生成された合成空気流を最適化するほどに浅くなることを確実にするため、案内面２２５０の円周部分２２５０ａに重なり／突出している。詳細には、空気流がノズル２２００から出る角度は、案内面２２５０の中心軸線（Ｙ）に沿う収束点の距離と、空気流が収束点で衝突する角度とを決定する。この場合、リップ２２３４の先細外面は、空気流を変化することができる角度範囲に対するこの突出の影響を最小限にする。
【００５５】
この実施形態では、２つの別個のバルブ機構が案内面２２５０の下に配置される。これらの内の第１のバルブ機構は、ノズル２２００の統合空気出口のサイズを一定に保ちながら、第１の空気出口２２１０のサイズを第２の空気出口２２２０のサイズに対して調整することによって、空気入口２２４０から第１及び第２の空気出口２２１０、２２２０への空気流を制御するように配置された流れベクタリングバルブである。これらのバルブ機構の内の第２のものは、ノズル２２００の空気送給モードを指向モードから拡散モードに変更するために配置されたモード切替バルブである。両方のバルブ機構について、以下で更に詳細に説明する。
【００５６】
ノズル２２００は更に、両方のバルブ機構の下に内部空気誘導面又は方向転換面２２７１を備え、空気誘導面２２７１が、単一の空気入口通路２２７０内の空気流をギャップ２２６０に向けて、及びひいては第１及び第２の空気出口２２１０、２２２０に向けて導くように配置されている。この実施形態では、この空気誘導面２２７１は凸状で実質的にディスク状であり、従って案内面２２５０と形が類似し、案内面２２５０と整列／同心状態にある。結果として、両方のバルブ機構は、案内面２２５０と空気誘導面２２７１との間に定められた空間内に収容される。
【００５７】
この実施形態では、空気入口２２４０とギャップ２２６０との間に延びる内部空気通路２２７０は、ファン組立体２０００の本体２１００から受け取った空気流の圧力を均等化してギャップ２２６０に、ひいては空気出口２２１０、２２２０により均等に分配するように機能するプレナムチャンバを形成する。従って、空気誘導面２２７１は、内部空気通路２２７０によって定められるプレナムチャンバの上面を形成する。
【００５８】
流れベクタリングバルブは、案内面２２５０の下方に且つ空気誘導面２２７１の上方に取り付けられた単一のバルブ部材２２８０を備える。流れベクタリングバルブ部材２２８０は、第１の端部位置と第２の端部位置との間で案内面２２５０に対して横方向に（すなわち、並進方向に）移動するように配置される。第１の端部位置では、第１の空気出口２２１０は、バルブ部材２２８０によって最大限に閉塞され（すなわち、第１の空気出口のサイズが最小となるように、可能な限り最大に閉塞される）、第２の空気出口２２２０は、最大限に開口する（すなわち、第２の空気出口のサイズが最大となるように、可能な限り最大に開口する）のに対して、第２の端部位置では、第２の空気出口２２２０はバルブ部材２２８０によって最大限に閉塞され、第１の空気出口２２１０は最大限に開口する。バルブ部材２２８０がその２つの極端な位置の間で移動するとき、統合／複合空気出口のサイズ／開口面積は一定のままである。
【００５９】
最小時には、第１及び／又は第２の空気出口２２１０、２２２０を完全に閉塞／閉鎖することができる。しかしながら、最小時に第１及び／又は第２の空気出口２２１０、２２２０は、少なくとも極めて小さい程度まで開口するとすることができ、そうすることによって、製造中に生じるあらゆる誤差／不正確さが、空気の通過時に付加的な異音（例えば、ホイッスリング）を誘起する可能性のある小ギャップに繋がらないようにすることができる。
【００６０】
図示の実施形態では、バルブ部材２２８０は、バルブ部材２２８０が第１の端部位置にあるときに第１の空気出口２２１０を最大限に閉塞する第１の端部セクション２２８０ａと、バルブ部材２２８０が第２の端部位置にあるときに第２の空気出口２２２０を最大限に閉塞する対向する第２の端部セクション２２８０ｂとを有する。バルブ部材２２８０の第１及び第２の端部セクション２２８０ａ、２２８０ｂの遠位縁は両方とも弧状形状であり、対応する空気出口を部分的に定めるノズル本体２２３０の対向面の形状と対応するようになる。詳細には、各バルブ部材の遠位縁は、ノズル本体２２３０の対向面の曲率半径と実質的に等しい曲率半径を有する。従って、バルブ部材２２８０の第１の端部セクション２２８０ａは、第１の空気出口２２１０を閉塞するために、第１の端部位置にあるときに対向面に当接する（すなわち、接触する、又は隣接する／近接する）ことができ、これによってこの対向面が第１バルブシートを提供するのに対して、バルブ部材２２８０の第２の端部セクション２２８０ｂは、第２の空気出口２２２０を閉塞するために、第２の端部位置にあるときに対向面に当接する（すなわち、接触する、又は隣接する／近接する）ことができ、これによってこの別の対向面が第２バルブシートを提供する。更に、バルブ部材２２８０の第１及び第２の端部セクション２２８０ａ、２２８０ｂの遠位縁の弧状形状により、第１の端部セクション２２８０ａの遠位縁が、第２の端部位置にあるときに案内面２２５０の隣接縁と略面一になり、第２の端部セクション２２８０ｂの遠位端が、第１の端部位置にあるときに案内面２２５０の隣接縁と略面一になる。
【００６１】
流れベクタリングバルブは更に、主制御回路から受信した信号に応答して、案内面２２５０に対するバルブ部材２２８０の横方向（すなわち、並進）移動を引き起こすように配置されたバルブモータ２２８１を備える。そのために、バルブモータ２２８１は、バルブ部材２２８０上に設けられた直線ラック２２８０ｃと係合するピニオン２２８２を回転させるように配置される。この実施形態では、直線ラック２２８０ｃは、第１の端部セクション２２８０ａと第２の端部セクション２２８０ｂとの間に延びるバルブ部材の中間セクションに設けられる。結果として、バルブモータ２２８１によるピニオン２２８２の回転は、バルブ部材２２８０の直線移動をもたらすことになる。
【００６２】
モード切替バルブは、ノズル２２００の空気送給モードを指向モードから拡散モードに変更するために配置される。指向モードでは、モード切替バルブは、ノズルから指向空気流を提供するために使用される第１及び第２の空気出口２２１０、２２２０を除く全ての空気出口を閉鎖する（すなわち、弧状スロットのペアを分離するギャップ２２６０の当該部分を覆う／閉塞する）。この指向モードでは、次に流れベクタリングバルブを用いて、第１及び第２の空気出口２２１０、２２２０だけによってノズル２２００から放出される空気流の方向を制御する。指向モードから拡散モードに切り替わるときに、モード切替バルブは、ギャップ２２６０の残りの部分を開く（すなわち、弧状スロットのペアを分離するギャップ２２６０の当該部分を開く）。この拡散モードでは、ギャップ２２６０全体がノズル２２００の単一の空気出口となり、これによって、より拡散した低圧の空気流を提供することができる。更に、モード切替バルブによるギャップ２２６０全体の開放により、ノズル２２００を出る空気を案内面２２５０の周囲／円周全体に分配して、その全てを収束点に向けることができるように提供され、ノズル２２００によって生成された合成空気流は、ノズル２２００の面２２３１に対して実質的に垂直に導かれる。この実施形態では、ノズル２２００のベース２２３２に対する、従ってファン組立体２０００のベースに対するノズル２２００の面２２３１の角度は、ファン組立体２０００が略水平面上に配置されている場合、ノズル２２００が拡散モードにあるときにファン組立体２０００によって生成された合成空気流が、略上向きに導かれるようになっている。
【００６３】
図示の実施形態では、モード切替バルブは、案内面２２５０の下方に且つ空気誘導面２２７１の上方に取り付けられたモード切替バルブ部材２２９０ａ、２２９０ｂのペアを備える。これらのモード切替バルブ部材２２９０ａ、２２９０ｂは、閉位置と開位置との間で案内面２２５０に対して横方向に（すなわち、並進的に）移動するように配置される。閉位置では、弧状スロット間（すなわち、第１及び第２の空気出口２２１０、２２２０を提供するスロット間）のギャップ２２６０の部分がモード切替バルブ部材２２９０ａ、２２９０ｂによって閉塞されるのに対し、開位置では、弧状スロット間のギャップ２２６０の部分が開口している。従って、これらのモード切替バルブ部材２２９０ａ、２２９０ｂは、弧状スロット間のギャップ２２６０のこれらの部分のための可動カバーであると見なすことができる。
【００６４】
図示の実施形態では、モード切替バルブ部材２２９０ａ、２２９０ｂは、閉位置において、第１の空気出口２２１０の一端と第２の空気出口２２２０の隣接端との間にあるギャップ２２６０の正反対に配置された別個の部分をそれぞれ閉塞するように配置される。このために、モード切替バルブ部材２２９０ａ、２２９０ｂは、閉位置において、第１の空気出口２２１０の両端と第２の空気出口２２２０のその隣接端との間にそれぞれ延びるように配置される。
【００６５】
モード切替バルブ部材２２９０ａ、２２９０ｂの各々は略平面状であり、この場合、バルブ部材の遠位縁は弧状の形状であり、ギャップ２２６０を部分的に定めるノズル本体２２３０の対向面の形状に対応するようになる。詳細には、各バルブ部材の遠位縁は、ノズル本体２２３０の対向面の曲率半径と実質的に等しい曲率半径を有する。従って、各バルブ部材２２９０ａ、２２９０ｂの遠位縁は、弧状スロット間のギャップ２２６０の一部を閉塞するために閉位置にあるとき、対向面（すなわち、対応するバルブシート）に当接することができる。更に、各バルブ部材２２９０ａ、２２９０ｂの遠位縁の弧状形状はまた、開位置にあるときにその遠位縁が案内面２２５０の隣接縁と略面一であるようにする。次に、モード切替バルブ部材２２９０ａ、２２９０ｂの各々には、バルブ部材の近位縁から延びるバルブ軸２２９０ｃ、２２９０ｄが設けられる。
【００６６】
モード切替バルブは更に、主制御回路から受信した信号に応答して、案内面２２５０に対するモード切替バルブ部材２２９０ａ、２２９０ｂの横方向（並進）移動を引き起こすように配置されたモード切替バルブモータ２２９１を備える。そのために、バルブモータ２２９１は、各バルブ軸２２９０ｃ、２２９０ｄ上に設けられた直線ラックと係合するピニオン２２９２を回転させるように配置される。結果として、バルブモータ２２９１によるピニオン２２９２の回転は、バルブ部材２２９０ａ、２２９０ｂの直線移動をもたらすことになる。この実施形態では、バルブモータ２２９１によるピニオン２２９２の回転は、１組の歯車を用いて達成され、バルブモータ２２９１の軸に取り付けられた駆動歯車がピニオン２２９２に固定された従動歯車と係合し、これによって従動歯車とピニオン２２９２は複合歯車を形成する。
【００６７】
図１１〜１４に示す実施形態では、モード切替バルブは更に、ノズル２２００が指向モードにあるときに、それぞれ第１及び第２の空気出口２２１０、２２２０から放出される空気の流路形成を支援するように配置された２つの可動バッフル２２９３、２２９４のペアを備える。詳細には、第１の可動バッフル対２２９３ａ、２２９３ｂは、ノズル２２００が指向モードにあるときに第１の空気出口２２１０から放出される空気の流路形成を支援するように配置されるのに対し、第２の可動バッフル対２２９４ａ、２２９４ｂは、ノズル２２００が指向モードにあるときに第２の空気出口２２２０から放出される空気の流路形成を支援するように配置される。従って、これら２つの可動バッフル２２９３、２２９４のペアは、ノズル２２００が指向モードにあるときに延伸し、ノズル２２００が拡散モードにあるときには、バッフルがギャップ２２６０を遮るのを回避するために後退するように配置される。
【００６８】
可動バッフル２２９３、２２９４のペアは、第１可動バッフル２２９３ａ、２２９４ａと第２可動バッフル２２９３ｂ、２２９４ｂとを備え、第１可動バッフル２２９３ａ、２２９４ａ及び第２可動バッフル２２９３ｂ、２２９４ｂは、細長いストラット２２９３ｃ，２２９４ｃの対向する端部に設けられる。各可動バッフル２２９３ａ、２２９３ｂ、２２９４ａ、２２９４ｂは、略Ｌ字形の断面を有し、第１平面セクションは、バッフルが取り付けられたストラット２２９３ｃ、２２９４ｃの端部から下方に延び、次に第２平面セクションは、第１平面セクションの底端部からストラット２２９３ｃ、２２９４ｃの長さと平行な方向に延びる。そして、各バッフルの第１及び第２の平面セクションはまた、ストラット２２９３ｃ、２２９４ｃの長さと垂直な方向に延びる。各バッフルの第１平面セクションは、第１及び第２の空気出口２２１０、２２２０の内の一方の端部を定める。この場合、各バッフルの第２平面セクションの遠位縁は弧状形状であり、ギャップ２２６０を部分的に定めるノズル本体２２３０の対向面の形状に対応するようになる。従って、各バッフルの第２平面セクションの遠位縁は、閉位置にあるときに対向面に当接することができる。そして、各バッフルの第２平面セクションは更に、隣接するモード切替バルブ部材２２９０ａ、２２９０ｂの近位縁の一部と重なるように配置され、バッフルと、隣接するモード切替バルブ部材２２９０ａ、２２９０ｂとの間で空気がノズル２２００から流出する経路が確実に存在しないようになっている。
【００６９】
この実施形態では、これらの可動バッフル２２９３、２２９４のペアは、ノズル２２００が指向モードにあるときの延伸位置と、ノズル２２００が拡散モードにあるときの後退位置との間で、案内面２２５０に対して横方向に（すなわち、並進的に）移動するように配置される。そのために、可動バッフル２２９３、２２９４のペアには、対応するストラット２２９３ｃ、２２９４ｃの端部間の途中位置で、対応するストラット２２９３ｃ、２２９４ｃから垂直に延びるアクチュエータアーム２２９３ｄ、２２９４ｄが設けられる。これらのアクチュエータアーム２２９３ｄ、２２９４ｄにはそれぞれ、モード切替バルブのピニオン２２９２と係合する直線ラックが設けられる。従って、モード切替バルブモータ２２９１によるピニオン２２９２の回転は、可動バッフル２２９３、２２９４のペアの直線移動をもたらすことになる。結果として、モード切替バルブを用いてノズル２２００の空気送給モードを指向モードと拡散モードとの間で変更する場合、モード切替バルブモータ２２９１の起動は、ピニオン２２９２の回転を引き起こし、これによりモード切替バルブ部材２２９０ａ、２２９０ｂを閉位置と開位置との間で移動させ、同時にまた、可動バッフル２２９３、２２９４のペアを延伸位置と後退位置との間で移動させることになる。
【００７０】
図１１〜１４では、ノズル２２００を指向モードで示され、モード切替バルブ部材２２９０ａ、２２９０ｂが閉位置にあり、両可動バッフル２２９３、２２９４のペアが延伸位置にある。従って、第１の空気出口２２１０と第２の空気出口２２２０との間にあるギャップ２２６０の部分は、モード切替バルブ部材２２９０ａ、２２９０ｂによって閉塞され、可動バッフル２２９３、２２９４のペアの第１平面セクションは第１及び第２の空気出口２２１０、２２２０の対向する端部を定め、案内面２５００を越えて収束点に向かう空気の流路形成を支援するようになっている。
【００７１】
ノズル２２００を拡散モードに切り替えるために、モード切替バルブモータ２２９１を起動させてピニオン２２９２の回転を引き起こし、これによりモード切替バルブ部材２２９０ａ、２２９０ｂを閉位置から開位置に移動させることになる。開位置では、モード切替バルブ部材２２９０ａ、２２９０ｂは、案内面２２５０と空気誘導面２２７１との間に定められた空間内に後退するので、第１の空気出口２２１０と第２の空気出口２２２０との間にあるギャップ２２６０の部分をもはや遮ることはない。同時に、ピニオン２２９２のこの回転はまた、可動バッフル２２９３、２２９４のペアを延伸位置から後退位置に移動させることになる。後退位置では、可動バッフル２２９３、２２９４のペアは、案内面２２５０と空気誘導面２２７１との間に定められた空間内に後退するので、第１の空気出口２２１０と第２の空気出口２２２０との間にあるギャップ２２６０の部分をもはや遮ることはない。好ましくは、ノズル２２００を指向モードから拡散モードに切り替えるときに、流れベクタリングバルブモータ２２８１も起動させてピニオン２２８２の回転を引き起こすようにし、これにより、流れベクタリングバルブ部材２２８０を、第１の空気出口２２１０と第２の空気出口２２２０の大きさが等しくなる中央位置に移動させることになる。この設定では、ギャップ２２６０全体がノズル２２００の単一の空気出口となり、これによって、より拡散した低圧の空気流を提供する。
【００７２】
図１１〜１４に示す実施形態では、ノズル２２００はまた、ノズル２２００の円形面上の弧状スロットのペアの位置を変えることができるように配置される。具体的には、案内面２２５０の中心軸線（ＹＹ）に対する弧状スロットのペアの角度位置は可変である。従って、ノズル２２００は、案内面２２５０の中心軸線（ＹＹ）の周りで弧状スロットのペアの回転移動を引き起こすように配置された出口回転モータ２２７２を更に備える。そのために、出口回転モータ２２７２は、空気誘導面２２７１に接続された弧状ラック２２７４と係合するピニオン２２７３の回転を引き起こすように配置される。この場合、空気誘導面２２７１はノズル本体２２３０内に回転自在に取り付けられ、流れベクタリングバルブ機構及びモード切替バルブ機構は、空気誘導面２２７１によって支持される。従って、出口回転モータ２２７２によるピニオン２２７３の回転は、ノズル本体２２３０内での空気誘導面２２７１の回転移動をもたらし、これにより、案内面２２５０の中心軸線（ＹＹ）の周りに流れベクタリングバルブとモード切替バルブ両方の回転を引き起こすことになる。第１及び第２の空気出口２２１０、２２２０を形成する弧状スロットのペアが、モード切替バルブ部材２２９０ａ、２２９０ｂで閉塞されないギャップ２２６０の部分によって定められることを考えると、モード切替バルブの回転は、案内面２２５０の中心軸線（ＹＹ）に対する弧状スロットのペアの角度位置の変化をもたらす。
【００７３】
ここで図１５ａ〜１５ｃを参照すると、これらは、ノズル２２００が指向モードにある場合に、ノズル２２００の統合的な指向モード空気出口のサイズを一定に保ちながら、第１の空気出口２２１０のサイズを第２の空気出口２２２０のサイズに対して変化させることによって達成できる、３つの可能性のある合成空気流を示している。
【００７４】
図１５ａにおいて、流れベクタリングバルブは、流れベクタリングバルブ部材２２８０が中央位置にある状態に配置され、この位置では、第１の空気出口２２１０と第２の空気出口２２２０はサイズが等しいので、第１の空気出口２２１０及び第２の空気出口２２２０から等量の空気流が放出される。第１及び第２の空気出口２２１０、２２２０は、案内面２２５０の中心軸線（ＹＹ）と整列する収束点に向けて配向される。図１５ａの事例のように２つの空気流が同じ強度を有する場合、合成空気流は、矢印ＡＡで示すように、ノズル２２００の面２２３１から前方に（すなわち、面２２３１に対して実質的に垂直に）導かれることになる。
【００７５】
図１５ｂでは、流れベクタリングバルブは、流れベクタリングバルブ部材２２８０が第１の端部位置にある状態に配置され、この位置では、第１の空気出口２２１０が最大限に閉塞され、第２の空気出口２２２０が最大限に開口している。これは、ノズル２２００に入る空気流の全てではないにしても、大部分が第２の空気出口２２２０を通って放出されることを意味する。空気流は、通常通り案内面２２５０の上方を流れるように導かれるが、第１の空気出口２２１０から放出される何れかの有意な空気流とも衝突しないので、矢印ＢＢで示すようにその流れ進路を進み続けることになる。
【００７６】
図１５ｃでは、流れベクタリングバルブは、流れベクタリングバルブ部材２２８０が第２の端部位置にある状態に配置され、この位置では、第２の空気出口２２２０が最大限に閉塞され、第１の空気出口２２１０が最大限に開口している。これは、ノズル２２００に入る空気流の全てではないにしても、大部分が第１の空気出口２２１０を通って放出されることを意味する。空気流は、通常通り案内面２２５０の上方を流れるように導かれるが、第２の空気出口２２２０から放出される何れかの有意な空気流とも衝突しないので、矢印ＣＣで示すようにその流れ進路を進み続けることになる。
【００７７】
図１５ａ、１５ｂ及び１５ｃの実施例は、単に代表的なものに過ぎず、実際には一部の極端な場合を表していることは容易に理解されるであろう。制御回路を利用して、流れベクタリングバルブ部材２２８０に接続された流れベクタリングバルブモータ２２８１を制御することにより、多種多様な合成空気流を実現することが可能である。出口回転モータ２２７２を制御して第１及び第２の空気出口２２１０、２２２０の角度位置を調整することによって、合成空気流の方向を更に変化させることができる。
【００７８】
次に、図１６、１７ａ及び１７ｂは、ファン組立体用ノズル３２００の第２の実施形態の断面図を示す。この第２の実施形態では、ノズル３２００は、上述のものとほぼ同じファン本体での使用に適しており、従って、ファン本体は、更なる図示も説明もしてない。しかしながら、切頭球状の形状を有するのではなく、この更なる実施形態のノズル３２００は、形状が略円筒状なので、ノズル３２００の構造が相違し、またノズル３２００内に設けられる流れベクタリングバルブも相違する。
【００７９】
この実施形態では、ノズル３２００は、ファン組立体の本体から空気流を受け取るための空気入口３２４０を提供する開口下端を有する。ノズル３２００は、ノズル３２００の外壁の外面が、ファン本体に取り付けられたときの外縁に収束するように配置される。
【００８０】
ノズル３２００は、ノズル本体、外側ケーシング又はハウジング３２３０を備え、ノズル本体はノズルの最外面を定め、従ってノズル３２００の外部形状又は外形を定める。図示の実施形態では、ノズル３２００のノズル本体／外側ケーシング３２３０は、直円筒の全体的形状を有し、従って、円形面３２３１と円形ベース３２３２とを有する。ノズル本体３２３０のベース３２３２に対するノズル本体３２３０の面３２３１の角度は固定されている。図示の実施形態では、この角度が０度なので、円形面３２３１と円形ベース３２３２は略平行である。
【００８１】
次に、ノズル３２００は、ノズル本体３２３０の円形面３２３１の開口部内に同心円状に配置された固定の外部案内面３２５０を更に備え、この外部案内面３２５０を開口部内に少なくとも部分的に露出させて、ノズル本体３２３０の一部が案内面３２５０の周囲に延びるようになっている。従って、外部案内面３２５０は、外向きである（すなわち、ノズルの中心から離れる方向を向く）。
【００８２】
図示の実施形態では、この案内面３２５０は凸状で実質的にディスク状であるが、代替の実施形態では、案内面３２５０は平坦又は部分的にだけ凸状とすることができる。次に、ノズル本体３２３０の内方に湾曲した上側部分３２３０ａは、案内面３２５０の円周部分３２５０ａに重なる／突出している。そして、凸状案内面の最も外側の中央部分３２５０ｂは、ノズル本体３２３０の開口円形面３２３１の最外点に対してオフセットされる。詳細には、ノズル本体３２３０の開口円形面３２３１の最外点は、案内面の最外部３２５０ｂの前方にある。
【００８３】
案内面３２５０の円周部分３２５０ａとノズル本体３２３０の対向する部分とは、組み合わされてこれらの間に略環状のギャップを定め、この場合、このギャップ３２６０の正反対に配置された２つの部分は、ノズル３２００の第１及び第２の空気出口３２１０、３２２０を提供する合同の円弧状スロットのペアを形成する。従って、案内面３２５０は、第１及び第２の空気出口３２１０、３２２０の間の領域にわたる中間面を提供する。言い換えれば、案内面３２５０は、第１及び第２の空気出口３２１０、３２２０を隔てる空間にわたって延びる中間面を形成する。この実施形態では、弧状スロットのペアを分離するギャップの部分は、それぞれ固定カバーによって閉塞される（図示せず）。従って、第１の実施形態のノズル２２００とは対照的に、この第２の実施形態のノズル３２００は単一の指向モードだけを有し、別個の拡散モードを持たない。
【００８４】
図示の実施形態では、第１及び第２の空気出口３２１０、３２２０を提供する弧状スロットのペアは各々、約６０度の円弧角度（すなわち、円形面３２３１の中心で弧によって限定される角度）を有するが、これらは各々、２０〜１１０度、好ましくは４５〜９０度、より好ましくは６０〜８０度の何れかの円弧角度を有することができる。
【００８５】
第１及び第２の空気出口３２１０、３２２０はほぼ同じサイズであり、組み合わされて球状ノズル３２００の統合又は複合空気出口を形成する。第１の空気出口３２１０と第２の空気出口３２２０は、案内面３２５０の対向する側部に位置し、それぞれの空気出口に隣接する案内面３２５０の一部分上へ案内面３２５０の中央軸線（ＹＹ）と整列する収束点に向けて放出される空気流を導くように配向される。この場合、第１の空気出口３２１０、第２の空気出口３２２０及び案内面３２５０は、放出される空気流がそれぞれの空気出口に隣接する案内面３２５０の一部分上に導かれるように配置される。詳細には、空気出口３２１０、３２２０は、空気出口３２１０、３２２０に隣接する案内面３２５０の部分と実質的に平行な方向に空気流を放出するように配置される。この場合、案内面３２５０の凸形状は、第１及び第２の空気出口３２１０、３２２０から放出された空気流が収束点に接近するにつれて案内面３２５０から離れて、これらの空気流は、案内面３２５０からの干渉なしに収束点及び／又はその周辺で衝突することができるようになっている。放出された空気流が衝突すると、２つの対向する空気流が衝突するときに形成される合成噴流又は複合空気流を安定させる上で助けとなる剥離バブルが形成される。
【００８６】
この実施形態では、ノズル本体３２３０は、ノズル３２００の円筒形状とノズル３２００の単一の内部空気通路３２７０とを定める外壁３２３３を備える。外壁３２３３はまた、ノズル３２００の円形面３２３１上の円形開口部と、ノズル本体３２３０の円形ベース３２３２上の円形開口部とを定める。外壁３２３３の下側円形開口部は、フファン本体から空気流を受け取るための空気入口３２４０を提供する。ノズル本体３２３０はまた、案内面３２５０の中心軸線に向かって内方に湾曲する上側部分３２３０ａを備える。
【００８７】
次いで、案内面３２５０は、内壁３２３３の上側円形開口部と同心円状に配置され、内壁３２３３の上側円形開口部の中心軸線に沿って内壁３２３３の上側円形開口部に対してオフセットされるので、結果として、内壁３２３３と案内面３２５０の隣接部分との間の空間によってギャップが定められる。
【００８８】
次に、流れベクタリングバルブが案内面３２５０の下方に配置される。流れベクタリングバルブは、ノズル３２００の統合空気出口のサイズを一定に保ちながら、第１の空気出口３２１０のサイズを第２の空気出口３２２０のサイズに対して調整することによって、空気入口から第１及び第２の空気出口３２１０、３２２０への空気流を制御するように配置される。
【００８９】
流れベクタリングバルブは、第１のバルブ部材３２８１と第２のバルブ部材３２８２とを備え、これらは、ノズル３２００の統合空気出口のサイズを一定に保ちながら、第１の空気出口３２８１のサイズを第２の空気出口３２８２のサイズに対して調整するように協働する。そのために、第１のバルブ部材３２８１と第２のバルブ部材３２８２は、同時に移動するように接続される。従って、第１のバルブ部材３２８１と第２のバルブ部材３２８２は各々、第１の端部位置と第２の端部位置との間で、ノズル本体３２３０及び案内面３２５０の両方に対して枢動可能であるように配置される。第１の端部位置では、第１の空気出口３２１０が、バルブ部材３２８１によって最大限に閉塞される（すなわち、第１の空気出口のサイズが最小となるように、可能な限り最大に閉塞される）一方で、第２の空気出口３２２０は、最大限に開口する（すなわち、第２の空気出口のサイズが最大となるように、可能な限り最大に開口する）。第２の端部位置では、第２の空気出口３２２０が第２のバルブ部材３２８２によって最大限に閉塞されるのに対して、第１の空気出口３２１０は最大限に開口する。
【００９０】
最小時には、第１及び／又は第２の空気出口３２１０、３２２０を完全に閉塞／閉鎖することができる。しかしながら、最小時に第１及び／又は第２の空気出口３２１０、３２２０は、少なくとも極めて小さ程度まで開口するとすることができ、そうすることによって、製造中に生じるあらゆる誤差／不正確さが、空気の通過時に付加的な異音（例えば、ホイッスリング）を誘起する可能性のある小ギャップに繋がらないようにすることができる。
【００９１】
この実施形態では、第１のバルブ部材３２８１は、第１の空気出口３２１０に隣接する位置で案内面３２５０の下方に枢動可能に取り付けられ、第２のバルブ部材３２８２は、第２の空気出口３２２０に隣接する位置で案内面３２５０の下方に枢動可能に取り付けられている。この場合、第１のバルブ部材３２８１は、第１のバルブ部材３２８１と第２のバルブ部材３２８３が同時に枢動するように、カプラー３２８３によって第２のバルブ部材３２８２に接続される。従って、案内面３２５０、第１のバルブ部材３２８１、第２のバルブ部材３２８２、及びカプラー３２８３は、平面四節リンク機構、具体的には平行四辺形四節リンク機構を形成する。従って、第１のバルブ部材３２８１と第２のバルブ部材３２８２は、それぞれリンク部分３２８１ａ、３２８２ａを備え、リンク部分の第１の端部がヒンジによってカプラー３２８３に接続され、リンク部分の第２の端部が別のヒンジによって案内面３２５０の裏面に接続される。その結果、第１及び第２のバルブ部材３２８１、３２８２のこれらのリンク部分は、四節リンク機構のクランクとして機能する。
【００９２】
次いで、第１のバルブ部材３２８１は、第１のバルブ部材３２８１が第１の端部位置にあるときに第１の空気出口３２１０を最大限に閉塞するように配置された第１のバルブアーム３２８１ｂを更に備え、第２のバルブ部材３２８２は、第２のバルブ部材３２８２が第２の端部位置にあるときに第２の空気出口３２２０を最大限に閉塞するように配置された第２のアーム３２８２ｂを更に備える。第１のバルブアーム３２８１ｂは、第１のバルブ部材３２８１から第１の空気出口３２１０内に延び、第２のバルブアーム３２８２ｂは、第２のバルブ部材３２８２から第２の空気出口３２２０内に延びる。詳細には、第１のバルブアーム３２８１ｂは、第１のバルブ部材３２８１のリンク部分３２８１ａの第１の端部から延び、第２のバルブアーム３２８２ｂは、第２のバルブ部材３２８２のリンク部分３２８２ａの第１の端部から延びる。
【００９３】
流れベクタリングバルブは更に、カプラー３２８３に接続されたロッド３２８４を備え、ロッド３２８４の移動が第１のバルブ部材３２８１及び第２のバルブ部材３２８２の同時移動を引き起こすようになっている。この実施形態では、ロッド３２８４は、案内面３２５０の中心を通ってノズル３２００の外へ延び、ロッド３２８４の外側部分３２８４ａがユーザ操作可能なハンドルを提供するように配置され、ロッド３２８４の内側部分３２８４ｂは、カプラー３２８３に枢動可能に接続されている。次に、ロッド３２８４の外側部分３２８４ａと、ロッド３２８４のカプラー３２８３に対する枢動接続部との間で、ロッド３２８４はまた、案内面２０５０の直ぐ下に枢動可能に接続される。
【００９４】
次いで、ノズル３２００は、第１のバルブ部材３２８１と第２のバルブ部材３２８２との間に配置された内部空気誘導面／方向転換面３２７１を更に備え、この内部空気誘導面は、単一の空気入口通路３２７０から／単一の空気入口通路３２７０内で受け取った空気流を第１及び第２の空気出口３２１０、３２２０に向けて誘導するように配置される。この実施形態では、この空気誘導面３２７１は凸状で実質的にディスク状であり、カプラー３２８３の下面に取り付けられる。従って、この空気誘導面３２７１は、カプラー３２８３と共に移動し、第１のバルブ部材３２８１及び第２のバルブ部材３２８２の位置に関係なく、常に第１のバルブ部材３２８１及び第２のバルブ部材３２８２の最後端部間に配置される。更に、単一の内部空気通路３２７０に面する第１のバルブアーム３２８１ｂ及び第２のバルブアーム３２８２ｂの各表面はまた、単一の内部空気通路３２７０から／内で受け取った空気流を、それぞれ第１及び第２の空気出口３２１０、３２２０に向けて導くように配置される。詳細には、これら第１のバルブアーム３２８１ｂ及び第２のバルブアーム３２８２ｂの各空気誘導面は、空気誘導面３２７１とほぼ連続するように配置される。
【００９５】
この実施形態では、空気入口３２４０と第１及び第２の空気出口３２１０、３２２０との間に延びる内部空気通路２２７０は、ファン本体から受け取った空気流の圧力を均等化して第１及び第２の空気出口３２１０、３２２０により均等に分配するように機能するプレナムチャンバを形成する。従って、空気誘導面３２７１は、内部空気通路３２７０によって定められるプレナムチャンバの上面を形成する。
【００９６】
図１７ａ及び１７ｂは、ノズル２２００が指向モードにある場合に、ノズル３２００の統合的な空気出口のサイズを一定に保ちながら、第１の空気出口３２１０のサイズを第２の空気出口３２２０のサイズに対して変化させることによって達成できる、２つの可能性のある合成空気流を示している。
【００９７】
図１７ａにおいて、流れベクタリングバルブは、第１及び第２のバルブ部材３２８１、３２８２が中央位置にある状態に配置され、この位置では、第１の空気出口３２１０と第２の空気出口３２２０はサイズが等しいので、第１の空気出口３２１０及び第２の空気出口３２２０から等量の空気流が放出される。第１及び第２の空気出口３２１０、３２２０は、案内面３２５０の中心軸線（ＹＹ）と整列する収束点に向けて配向される。図１７ａの事例のように２つの空気流が同じ強度を有する場合、合成空気流は、矢印ＡＡＡで示すように、ノズル３２００の面３２３１から前方に（すなわち、面３２３１に対して実質的に垂直に）導かれることになる。
【００９８】
図１７ｂでは、流れベクタリングバルブは、第１及び第２のバルブ部材３２８１、３２８２が第１の端部位置にある状態に配置され、この位置では、第１の空気出口３２１０が最大限に閉塞され、第２の空気出口２２２０が最大限に開口している。これは、ノズル３２００に入る空気流の全てではないにしても、大部分が第２の空気出口３２００を通って放出されることを意味する。空気流は、通常通り案内面３２５０の上方を流れるように導かれるが、第１の空気出口３２１０から放出される何れかの有意な空気流とも衝突しないので、矢印ＢＢで示すようにその流れ進路を進み続けることになる。
【００９９】
図１７ａ及び１７ｂの実施例は、単に代表的なものに過ぎず、実際には一部の極端な場合を表していると容易に理解されるであろう。流れベクタリングバルブ部材３２８１、３２８２に接続されたロッド３２８４のユーザ操作可能なハンドル部分を利用することにより、多種多様な合成空気流を実現することが可能である。
【０１００】
図１８は、第２の実施形態の流れベクタリングバルブに対して、代替の実施形態の流れベクタリングバルブを示す。第２の実施形態の流れベクタリングバルブは、連結された枢動バルブ部材のペアを含むが、この代替の実施形態の流れベクタリングバルブは、単一の枢動バルブ部材３２８０を使用する。従って、図１８の実施形態において、流れベクタリングバルブは、案内面３２５０の中心軸（ＹＹ）の直ぐ後ろに枢動可能に取り付けられた単一のバルブ部材３２８０を含む。バルブ部材３２８０は、後部空気誘導面３２８０ａと、バルブ部材本体の前面から延び且つ案内面３２５０の後方にバルブ部材３２８０を枢動可能に接続する中央ヒンジアーム３２８０ｂと、第１及び第２の空気出口３２１０、３２２０それぞれに向かって延びる対向するバルブアーム３２８０ｃ、３２８０ｄのペアとを有するバルブ部材本体を備える。使用時には、バルブ部材３２８０は、第１のバルブアーム３２８０ｃが第１の空気出口３２１０内に移動してこれを閉鎖／閉塞するように第１の方向に枢動することができ、第２のバルブアーム３２８０ｄが第２の空気出口３２２０内に移動してこれを閉鎖／閉塞するように、第１の方向とは反対の第２の方向に枢動することができる。この実施形態では、滑らかな凸状の後部空気誘導面を有するのではなく、バルブ部材３２８０の後部空気誘導面３２８０ａは、単一の内部空気通路３２７０内の空気流を第１及び第２の空気出口３２１０、３２２０に向けて導く又は偏向させるより先鋭な形状を有する。次に、第１及び第２のバルブアーム３２８０ｃ、３２８０ｄは、好ましくは、誘導面３２８０ａの対向する側部から延びて、誘導面３２８０ａと連続している。
【０１０１】
上述の個々の項目を単独で、或いは図面に示した又は明細書に記載した他の項目と組み合わされて使用できること、並びに、互いに同じ節に又は互いに同じ図面に記載した項目を互いに組み合わせて使用する必要はないことが理解されるであろう。更に、「手段」という表現は、任意選択的にアクチュエータ又はシステム又はデバイスに置き換えることができる。加えて、「を備える」又は「から構成される」という言及によって、いかなる意味でも限定を意図するものではなく、読者は適宜に本明細書及び特許請求の範囲を解釈すべきである。
【０１０２】
更に、上述のように好ましい実施形態に関して本発明を記述してきたが、これらの実施形態は例示的なものに過ぎないことを理解されたい。当業者は、本開示の見地から変更形態及び代替形態を作成することができ、これらは添付の特許請求の範囲に入ると想定される。例えば、上述の発明が自立式ファン組立体だけでなく、他のタイプの環境制御ファン組立体にも等しく適用できる可能性があることを当業者は理解しよう。例として、このようなファン組立体は、自立式ファン組立体、天井取付け型又は壁取付け型のファン組立体、及び車載ファン組立体の何れでもよい。
【０１０３】
別の例として、上述の流れベクタリングバルブの各々は、ノズルの実施形態間で置き換えることできる。詳細には、第１の実施形態に関連して記載したような単一の直線移動バルブ部材は、第２の実施形態においても使用することができる。第２の実施形態に関連して記載したような単一の枢動バルブ部材又は連結された枢動バルブ部材のペアは、第１のノズルの実施形態においても使用することができる。
【０１０４】
加えて、第１の実施形態では、第１及び第２の指向モード空気出口間のギャップの部分は可動カバーによって閉塞されるが、第２の実施形態の場合と同様に、固定カバーによって等しく閉塞することができるので、この場合、第１の実施形態のノズルは、単一の指向モードの空気送給だけを有することになる。逆に、第２の実施形態の固定カバーは、第２の実施形態に関連して記載したような可動カバーに置き換えることができ、これによって、第２の実施形態のノズルに、指向型と拡散型の空気送給モードの両方を提供する。
【０１０５】
この二重モード構成は、ノズルが清浄空気を供給するように構成されたファン組立体での使用を意図する場合に特に有用であり、このようなファン組立体のユーザが、指向モードで提供されるより高圧で集束した空気流によって作り出される冷却効果なしで、ファン組立体から清浄空気を引き続き受けたいと望む場合があることによる。例えば、これは、温度が低すぎて指向モード空気流で提供される冷却効果を利用できないとユーザが考える冬季の場合である。このような状況では、ユーザは、ユーザインタフェースを操作することによって空気送給モードを制御することができる。この場合、これらのユーザ入力に応じて、主制御回路はモード切替バルブ部材を閉位置から開位置に移動させるので、ギャップ全体がノズルの単一の空気出口となり、これによって、より拡散した低圧の空気流を提供する。更に、好ましい実施形態では、ノズルのベースに対する、従ってファン組立体のベースに対するノズルの面の角度は、ファン組立体が略水平面上に配置されている場合、ノズルが拡散モードにあるときにファン組立体によって生成された合成空気流が、略上向きに導かれるようになっている。従って、これらの実施形態はまた、拡散モードの空気流が間接的にユーザに送給されることを提供し、これにより空気流によって作り出される冷却効果を更に減少させる。
【０１０６】
更に、上述した実施形態のノズル及び出口は、異なった形状を有することができる。例えば、第１及び第２の空気出口を提供するスロットは、円弧の一般的な形状を有するのではなく、それぞれ非円形の楕円弧とすることができる。同様に、第１の実施形態のノズルは、球体の全体的形状を有するのではなく、非球体の楕円体又は回転楕円体の全体的形状を有することができる。第１の実施形態のノズルもまた、直円筒の全体的形状を有するのではなく、楕円筒の全体的形状を有することができる。そしてまた、ノズルの面も形状が異なるとすることができる。詳細には、ノズルの面は円形ではなくて、非円形の楕円形とすることができる。
【０１０７】
加えて、上述の実施形態では、空気は、第１及び第２の空気出口を分離するギャップの部分を閉塞する固定又は可動カバーによって、これらの部分から流出するのが阻止されるが、代替の実施形態では、単一の内部空気通路は、ギャップのこれらの部分に空気流が到達しないような形状にすることができる。詳細には、単一の内部空気通路は、第１の空気出口を提供する湾曲スロットの端部と第２の空気出口を提供する湾曲スロットの隣接端部と略平行で、これらの間に延びる側壁を備えることができる。従って、単一の内部空気通路は、空気出口の端部を越えて延びず、ただ単に、一方の空気出口の遠位湾曲側面／縁から他方の空気出口の遠位湾曲側面／縁まで、及び中間／案内面の対応する部分の下に延びているだけである。単一の内部空気通路は、依然として、ノズルの空気入口を通して受け取る空気流のためのプレナム領域を提供するが、これを空気出口の下方及びこれらの間の領域に制限する。
【０１０８】
更に、上述の実施形態の幾つかは、１又は２以上のバルブ部材の移動を駆動するためにバルブモータを利用するが、本明細書に記載したノズルの全ては、代わりに、バルブ部材（複数可）の移動を駆動するために手動機構を含むことができ、この場合、ユーザによる力の付与がバルブ部材（複数可）の移動に変換されることになる。例えばこれは、回転可能なダイヤル又はホイール、或いは摺動可能なダイヤル又はスイッチの形態をとることができ、ユーザによるダイヤルの回転又は摺動がピニオンの回転を引き起こす。
【図１】
2021530644.tif 000003
【図２】
2021530644.tif 000004
【図３】
2021530644.tif 000005
【図４】
2021530644.tif 000006
【図５】
2021530644.tif 000007
【図６】
2021530644.tif 000008
【図７】
2021530644.tif 000009
【図８】
2021530644.tif 000010
【図９】
2021530644.tif 000011
【図１０】
2021530644.tif 000012
【図１１】
2021530644.tif 000013
【図１２】
2021530644.tif 000014
【図１３】
2021530644.tif 000015
【図１４】
2021530644.tif 000016
【図１５ａ】
2021530644.tif 000017
【図１５ｂ】
2021530644.tif 000018
【図１５ｃ】
2021530644.tif 000019
【図１６】
2021530644.tif 000020
【図１７ａ】
2021530644.tif 000021
【図１７ｂ】
2021530644.tif 000022
【図１８】
2021530644.tif 000023
【国際調査報告】
2021530644.tif 000024
2021530644.tif 000025